(57)【要約】【課題】  大型バッテリを使用した場合でも、ジャケットの着心地が悪くならないようにすることを目的とする。【解決手段】本発明に係る保温ジャケットは、ポケット１２ｐを備えるジャケット本体と、ジャケット本体の表地１３と裏地１４間に収納された発熱体３１と、発熱体３１に対して電力を供給するバッテリ４３とを備える保温ジャケットであって、ジャケット本体は、バッテリ４３の電力を発熱体３１に供給するための電源線３９を備えており、ジャケット本体には、バッテリ４３をポケット１２ｐ内、あるいはジャケット本体の裏側に配置できるように、電源線３９を通すための貫通穴６１，６２が形成されている。【選択図】図９
2015048555.tif 000002
【特許請求の範囲】
【請求項１】
表地と裏地とからなり、ポケットを備えるジャケット本体と、前記ジャケット本体の表地と裏地間に収納された電気式の発熱体と、前記発熱体に対して電力を供給するバッテリとを備える保温ジャケットであって、
前記ジャケット本体は、前記バッテリの電力を前記発熱体に供給するための電源線を備えており、
前記ジャケット本体には、前記バッテリを前記ポケット内、あるいは前記ジャケット本体の裏側に配置できるように、前記電源線を通すための貫通穴が形成されていることを特徴とする保温ジャケット。
【請求項２】
請求項１に記載された保温ジャケットであって、
前記貫通穴は、前記ポケット内から前記ジャケット本体の裏側まで前記電源線を通せるように構成されていることを特徴とする保温ジャケット。
【請求項３】
請求項１又は請求項２のいずれかに記載された保温ジャケットであって、
前記ジャケット本体の電源線の端部にはコネクタが設けられて、そのコネクタにアダプタのリード線の端部に設けられたコネクタが着脱可能な構成であり、前記アダプタに対して電動工具用バッテリがロック状態で連結可能、かつ取外し可能に構成されていることを特徴とする保温ジャケット。
【請求項４】
請求項３に記載された保温ジャケットであって、
前記アダプタには、身体に前記アダプタ及び電動工具用バッテリを保持するためのフックが設けられていることを特徴とする保温ジャケット。
【請求項５】
請求項１から請求項４のいずれかに記載された保温ジャケットであって、
前記ジャケット本体には、前記発熱体の発熱量が一定になるように制御する制御部が設けられており、
前記制御部は、前記バッテリの電圧が低下するにつれて通電時間を長くし、前記発熱体の発熱量を一定に制御することを特徴とする保温ジャケット。
【請求項６】
請求項１から請求項５のいずれかに記載された保温ジャケットであって、
前記ジャケット本体には、前記発熱体の温度が予め決められた値を超えたときに、前記発熱体に対する通電を禁止する手段が設けられていることを特徴とする保温ジャケット。
【請求項７】
請求項１から請求項６のいずれかに記載された保温ジャケットであって、
前記ジャケット本体には、前記発熱体の通電を表示するＬＥＤが設けられており、
ＬＥＤは定電流回路を介して電源に接続されるように構成されていることを特徴とする保温ジャケット。
【発明の詳細な説明】
【技術分野】
【０００１】
本発明は、表地と裏地とからなり、ポケットを備えるジャケット本体と、前記ジャケット本体の表地と裏地間に収納された電気式の発熱体と、前記発熱体に対して電力を供給するバッテリとを備える保温ジャケットに関する。
【背景技術】
【０００２】
これに関連する従来の保温ジャケットが特許文献１に記載されている。
この保温ジャケット１００は、図１２に示すように、表地１０２と裏地１０３とからなり、左内ポケット１０４を備えるジャケット本体１０１を備えている。そして、ジャケット本体１０１の表地１０２と裏地１０３間に電気式の発熱体１０５が挟まれた状態で取付けられている。発熱体１０５は電源線１０６によりバッテリ１０８と電気的に接続されており、そのバッテリ１０８がジャケット本体１０１の左内ポケット１０４に収納されるようになっている。
上記構成により、バッテリ１０８の電力により発熱体１０５を発熱させて、ジャケット本体１０１内の保温を行なうことができる。
【先行技術文献】
【特許文献】
【０００３】
【特許文献１】特開平５−６１３６１号
【発明の概要】
【発明が解決しようとする課題】
【０００４】
上記した保温ジャケット１００は、バッテリ１０８をジャケット本体１０１の左内ポケット１０４に収納するように構成されている。このため、例えば、長時間の保温用に高容量の大型バッテリ１０８を使用すると、大型バッテリ１０８の重量でジャケット本体１０１の左内ポケット１０４が下に引っ張られ、ジャケット本体１０１の着心地が悪くなる。さらに、ジャケット本体１０１を着用したときの見栄えも低下する。
したがって、上記した保温ジャケット１００では、大型バッテリ１０８を使用するのは難しい。
【０００５】
本発明は、上記問題点を解決するためになされたものであり、本発明が解決しようとする課題は、大型バッテリを使用した場合でも、ジャケットの着心地が悪くならないようにするとともに、着用時にジャケットの見栄えが低下しないようにすることである。
【課題を解決するための手段】
【０００６】
上記した課題は、各請求項の発明によって解決される。
請求項１の発明は、表地と裏地とからなり、ポケットを備えるジャケット本体と、前記ジャケット本体の表地と裏地間に収納された電気式の発熱体と、前記発熱体に対して電力を供給するバッテリとを備える保温ジャケットであって、前記ジャケット本体には、前記バッテリを前記ポケット内、あるいは前記ジャケット本体の裏側に配置できるように、前記電源線を通すための貫通穴が形成されていることを特徴とする。
【０００７】
本発明によると、ジャケット本体には、バッテリをポケット内、あるいはジャケット本体の裏側に配置できるように、前記電源線を通すための貫通穴が形成されている。
このため、例えば、軽いバッテリを使用する場合、前記バッテリをポケットに収納することができる。バッテリが軽い場合、ポケットに収納してもジャケットの着心地が悪くならず、また、ジャケット着用時の見栄えも低下しない。
また、大型のバッテリを使用する場合、そのバッテリをジャケット本体の裏側に配置することができる。このため、大型バッテリを、例えば、ズボンのベルト等に装着することが可能になる。したがって、大型バッテリの重量がジャケット本体に加わらず、ジャケット本体の着心地が悪くなることがない。さらに、着用時のジャケット本体の見栄えも低下しない。
【０００８】
請求項２の発明によると、第２の貫通穴は、ポケット内からジャケット本体の裏側まで前記電源線を通せるように構成されていることを特徴とする。
このため、ポケット内に導いた電源線を貫通穴からジャケット本体の裏側に導くことができる。このため、バッテリの種類に応じて電源線をポケット内に収納したり、あるいはジャケット本体の裏側に導くことが容易になる。
【０００９】
請求項３の発明によると、ジャケット本体の電源線の端部にはコネクタが設けられて、そのコネクタにアダプタのリード線の端部に設けられたコネクタが着脱可能な構成であり、前記アダプタに対して電動工具用バッテリがロック状態で連結可能、かつ取外し可能に構成されていることを特徴とする。
このため、ジャケット本体の電源線と、電動工具用バッテリのアダプタのリード線との着脱が容易になる。また、前記電源線をジャケット本体の貫通穴に通し易くなる。
【００１０】
請求項４の発明によると、アダプタには、身体にアダプタ及び電動工具用バッテリを保持するためのフックが設けられていることを特徴とする。
このため、アダプタ及び電動工具用バッテリをジャケット本体の裏側に配置した場合に、そのアダプタを、例えば、ズボンのベルト等に装着し易くなる。
【００１１】
請求項５の発明によると、ジャケット本体には、発熱体の発熱量が一定になるように制御する制御部が設けられており、前記制御部は、前記バッテリの電圧が低下するにつれて通電時間を長くし、前記発熱体の発熱量を一定に制御することを特徴とする。
このため、バッテリの充電量が異なることで、発熱体の発熱量が変化するような不具合がない。
【００１２】
請求項６の発明によると、ジャケット本体には、前記発熱体の温度が予め決められた値を超えたときに、前記発熱体に対する通電を禁止する手段が設けられていることを特徴とする。
このため、発熱体の温度が上がり過ぎるような不具合がない。
【００１３】
請求項７の発明によると、ジャケット本体には、発熱体の通電を表示するＬＥＤが設けられており、ＬＥＤは定電流回路を介して電源に接続されるように構成されていることを特徴とする。
このように、ＬＥＤは定電流回路を介して電源に接続されているため、電源の電圧変動により、ＬＥＤの明るさが変わるような不具合がない。
【発明の効果】
【００１４】
本発明によると、高容量の重いバッテリを使用した場合でも、ジャケットの着心地が悪くならない。また、着用時のジャケットの見栄えも低下しない。
【図面の簡単な説明】
【００１５】
【図１】本発明の実施形態１に係る保温ジャケットのジャケット本体の全体斜視図（Ａ図）、ジャケット本体の袖を外した状態を表す斜視図（Ｂ図）、ジャケット本体の左胸の操作部を表す拡大斜視図（Ｃ図）である。
【図２】前記ジャケット本体の裏側を表す斜視図である。
【図３】図２のIII矢視拡大図である。
【図４】本発明の実施形態１に係る保温ジャケットの配線ブロック図である。
【図５】保温ジャケットの制御部の信号ブロック図である。
【図６】制御部の発熱量制御を表す模式図である。
【図７】制御部のＬＥＤ点灯制御を表す回路図である。
【図８】保温ジャケットで使用される電動工具バッテリとアダプタとを表す斜視図である。
【図９】前記ジャケット本体において電源線の通し方を表す模式縦断面図（Ａ図）、ポケット内に電源線を通す様子を表す斜視図（Ｂ図）、アダプタ、電動工具用バッテリの保持状態を表す斜視図（Ｃ図）である。
【図１０】前記ジャケット本体において電源線の通し方を表す模式縦断面図（Ａ図）、ポケット内に電源線を通す様子を表す斜視図（Ｂ図）、ポケット内にアダプタ、電動工具用バッテリを収納した状態を表す斜視図（Ｃ図）である。
【図１１】前記ジャケット本体において電源線の通し方を表す模式縦断面図である。
【図１２】従来の保温ジャケットを表す模式斜視図である。
【発明を実施するための形態】
【００１６】
（実施形態１）
以下、図１から図１１に基づいて、本発明の実施形態１に係る保温ジャケット１０の説明を行なう。本実施形態に係る保温ジャケット１０は、寒冷地において使用されるジャケットであり、電動工具用バッテリを電源にしてジャケット本体１２の保温を行なえるうに構成されている。
ここで、図中の前後左右及び上下は、ジャケット本体１２の前後左右及び上下に対応している。
【００１７】
＜保温ジャケット１０の概要について＞
保温ジャケット１０は、ジャケット本体１２（図１参照）と、そのジャケット本体１２に設けられた発熱体３１，３２，３３（図４参照）と、発熱体３１，３２，３３を制御するジャケット電気回路３０（図４参照）と、前記ジャケット電気回路３０に電力を供給する電動工具用バッテリ４１，４３、及びアダプタ５１，５３とから構成されている。
【００１８】
＜ジャケット本体１２について＞
ジャケット本体１２は、図１（Ａ）（Ｂ）に示すように、縦チャック１５により前開きが可能なように構成された胴部１２ｄと、左右の袖部１２ａ，１２ｂとからなり、左右の袖部１２ａ，１２ｂが胴部１２ｄに対してチャック（図示省略）により取付け、取外し可能なように構成されている。
前記ジャケット本体１２の胴部１２ｄと左右の袖部１２ａ，１２ｂとは、防水性の表地１３と保温性の裏地１４（図２、図３参照）とが縫い合わされることにより構成されている。
また、ジャケット本体１２の胴部１２ｄの背面左下には、小型バッテリ４１等を収納できるように構成された背面ポケット１２ｐ（図１０等参照）が設けられている。背面ポケット１２ｐの内側上部には、図１０（Ａ）〜（Ｃ）等に示すように、ジャケット本体１２の表地１３、裏地１４間の発熱体収納部（後記する）と背面ポケット１２ｐ内とをつなぐ第１貫通穴６１が設けられている。また、背面ポケット１２ｐの内側下部には、ジャケット本体１２の裏側と背面ポケット１２ｐ内とをつなぐ第２貫通穴６２が設けられている。第１貫通穴６１、第２貫通穴６２は、ジャケット電気回路３０の電源線３９及びジャケット側コネクタ３９ｃ（後記する）を通せるように構成されている。
さらに、ジャケット本体１２の胴部１２ｄには、左前側の表地１３と裏地１４との間に第１発熱体３１が取付けられており、右前側の表地１３と裏地１４との間に第２発熱体３２が取付けられている。また、ジャケット本体１２の胴部１２ｄには、背面の表地１３と裏地１４との間に第３発熱体３３が取付けられている。
即ち、ジャケット本体１２の表地１３と裏地１４間で第１発熱体３１、第２発熱体３２、及び第３発熱体３３を収納する空間が本発明の発熱体収納部に相当する。
【００１９】
第１発熱体３１、第２発熱体３２、及び第３発熱体３３は、図４に示すように、等しい構成であり、角形の布地３４と、布地３４の表面を左端から右端まで上下に蛇行して延びる抵抗体であるカーボンファイバー３５とから構成されている。そして、前記カーボンファイバー３５の両端に発熱体側電線３７が接続されている。さらに、第１発熱体３１、第２発熱体３２、及び第３発熱体３３には、カーボンファイバー３５と発熱体側電線３７との両側の接続部３５ｘの近傍にそれぞれサーモスタット３８が設けられている。サーモスタット３８は、高温になり易い接続部３５ｘの温度が所定温度を超えて上昇したときに、第１発熱体３１、第２発熱体３２、及び第３発熱体３３に対する通電を禁止するスイッチであり、カーボンファイバー３５に対して電気的に直列に接続されている。
第１発熱体３１、第２発熱体３２、及び第３発熱体３３は、角形の布地３４がジャケット本体１２の表地１３と裏地１４とに縫いつけられることで、表地１３と裏地１４間の所定位置に取付けられる。
即ち、前記サーモスタット３８が本発明の発熱体に対する通電を禁止する手段に相当する。
【００２０】
＜ジャケット電気回路３０について＞
ジャケット電気回路３０は、図４に示すように、制御部２０と、その制御部２０と第１発熱体３１、第２発熱体３２、及び第３発熱体３３とを電気的に接続する発熱体側電線３７と、前記制御部２０を電動工具用バッテリ４１，４３等と電気的に接続する電源線３９と、前記電源線３９に設けられたジャケット側コネクタ３９ｃとから構成されている。
前記制御部２０は、第１発熱体３１、第２発熱体３２、及び第３発熱体３３を制御する部分であり、図１に示すように、ジャケット本体１２の左胸の位置に取付けられている。前記制御部２０は、図５に示すように、電源回路２１と、電圧検出回路２２と、スイッチ部２３と、発熱体制御回路２４と、発熱体異常検出回路２５と、表示制御回路２６と、ＣＰＵ２７とから構成されている。
【００２１】
電源回路２１は、電動工具用バッテリ４１，４３の電圧を発熱体３１，３２，３３の仕様に合わせた電圧に変換する回路である。電圧検出回路２２は、電動工具用バッテリ４１，４３の電圧を検出してＣＰＵ２７に入力する回路である。
スイッチ部２３は、発熱体３１，３２，３３に対する通電のオン、オフ、及び発熱体３１，３２，３３の発熱量の切替えを行うスイッチである。スイッチ部２３は、図１（Ｃ）に示すように、ジャケット本体１２の左胸に取付けられた制御部２０の表面に設けられている。スイッチ部２３の信号は、図５に示すように、ＣＰＵ２７に入力される。ＣＰＵ２７は、ユーザがスイッチ部２３を、例えば、数秒程度長押しした状態で、発熱体３１，３２，３３に対する通電を開始し、発熱体３１，３２，３３の通電時にユーザがスイッチ部２３を長押しすると、通電を解除できるように構成されている。
また、ＣＰＵ２７は、ユーザがスイッチ部２３を短い時間（１秒以下）だけ押し操作することにより発熱体３１，３２，３３の発熱量を、例えば、低温、中温、高温と順番に切替えられるように構成されている。
【００２２】
発熱体制御回路２４は、ＣＰＵ２７からの設定信号、例えば、低温、中温、高温の信号に基づいて発熱体３１，３２，３３の発熱量を制御する。即ち、発熱体制御回路２４では、図６に示すように、周期Ｔｃ（例えば、Ｔｃ＝20ms）に対する電圧パルス幅Ｔｏｎの比、即ち、デューティ比を変化させることで発熱体３１，３２，３３に供給する電力量を調整し、発熱体３１，３２，３３の発熱量を低温Ｈ１、中温Ｈ２、あるいは高温Ｈ３に制御している。
また、発熱体制御回路２４では、電動工具用バッテリ４１，４３の容量が減少して電圧が低下した場合でも、前記電圧の低下にともなってデューティ比を増加させ、発熱体３１，３２，３３の発熱量を一定に制御できるように構成されている。
発熱体異常検出回路２５は、第１発熱体３１、第２発熱体３２、及び第３発熱体３３の抵抗値が小さくなることによる異常発熱、過負荷（過電流）から第１発熱体３１、第２発熱体３２、及び第３発熱体３３を保護する回路である。発熱体異常検出回路２５は、第１発熱体３１、第２発熱体３２、及び第３発熱体３３の抵抗値を監視し、前記抵抗値が予め決められた値よりも小さくなったときにＣＰＵ２７に対して発熱体異常信号を出力する。ＣＰＵ２７は、発熱体異常検出回路２５からの発熱体異常信号を受け、発熱体制御回路２４に対して通電禁止信号を出力する。
即ち、前記ＣＰＵ２７が本発明の発熱体に対して通電を禁止する手段に相当する。
【００２３】
表示制御回路２６は、発熱体３１，３２，３３の通電状態と、発熱体３１，３２，３３の発熱量を表示する回路である。表示制御回路２６は、三個のＬＥＤ２６ａ，２６ｂ，２６ｃと、各々のＬＥＤ２６ａ，２６ｂ，２６ｃを点灯させる定電流回路２８とから構成されている。三個のＬＥＤ２６ａ，２６ｂ，２６ｃは、図１（Ｃ）に示すように、ジャケット本体１２の左胸の位置にスイッチ部２３と並んだ状態で配置されている。そして、スイッチ部２３の操作により発熱体３１，３２，３３の発熱量が低温Ｈ１に切替えられると、一個のＬＥＤ２６ａが点灯する。また、発熱体３１，３２，３３の発熱量が中温Ｈ２に切替えられると二個のＬＥＤ２６ａ，２６ｂが点灯し、発熱体３１，３２，３３の発熱量が高温Ｈ３に切替えられると三個のＬＥＤ２６ａ，２６ｂ，２６ｃが点灯するようになる。なお、発熱体３１，３２，３３に対する通電が解除されると、三個のＬＥＤ２６ａ，２６ｂ，２６ｃは全て消灯する。
各々のＬＥＤ２６ａ，２６ｂ，２６ｃは、図７に示すように、定電流回路２８のトランジスタＴｒのコレクタ端子に接続されている。前記定電流回路２８では、トランジスタＴｒのベース／エミッタ間の電圧Ｖｂｅとエミッタ電流Ｉｅ×抵抗Ｒｆとの和が、ベース電圧ＶＲｂと等しくなるように設定されている。このため、ＬＥＤ２６ａ，２６ｂ，２６ｃに加わる電圧Ｖが変化してもＬＥＤ２６ａ，２６ｂ，２６ｃを流れる電流Ｉｃは変化しない。このため、ＬＥＤ２６ａ，２６ｂ，２６ｃに加わる電圧Ｖが変化してもＬＥＤ２６ａ，２６ｂ，２６ｃの明るさが変化することがなく、見やすい状態を保持できる。
【００２４】
＜電動工具用バッテリ４１，４３、及びアダプタ５１，５３について＞
図８の上側には小型電動工具用バッテリ４１（以下、小型バッテリ４１という）と、その小型バッテリ４１をジャケット本体１２のジャケット電気回路３０に接続するアダプタ５１とが示されている。
小型バッテリ４１は、略筒形に形成されたハウジング内に複数本の二次電池（図示省略）が収納されている。アダプタ５１は、小型バッテリ４１を収納する略筒形のアダプタ本体５１ｍと、アダプタ本体５１ｍに設けられたリード線５１ｘと、そのリード線５１ｘの先端に設けられたアダプタ側コネクタ５１ｃとから構成されている。小型バッテリ４１は、アダプタ本体５１ｍに挿入されることで、アダプタ本体５１ｍと電気的に接続されるように構成されている。また、小型バッテリ４１とアダプタ本体５１ｍ間には、小型バッテリ４１とアダプタ本体５１ｍとを電気的な接続状態に保持するロック機構が設けられている。そして、小型バッテリ４１に設けられたロック解除レバー４１ｗを押圧することで、小型バッテリ４１とアダプタ本体５１ｍとのロック状態を解除できるようになっている。
アダプタ５１のアダプタ側コネクタ５１ｃは、ジャケット本体１２のジャケット電気回路３０（電源線３９）のジャケット側コネクタ３９ｃに接続されるようになっており、両コネクタ５１ｃ，３９ｃが接続された状態で、小型バッテリ４１とジャケット本体１２のジャケット電気回路３０とが電気的に接続される。
【００２５】
図８の下側には大型電動工具用バッテリ４３（以下、大型バッテリ４３という）と、その大型バッテリ４３をジャケット本体１２のジャケット電気回路３０に接続するアダプタ５３とが示されている。
大型バッテリ４３は、略箱形に形成されたハウジング内に複数本の二次電池（図示省略）が収納されている。アダプタ５３は、フック５３ｆによりベルト等に掛けられる角形蓋状のアダプタ本体５３ｍと、アダプタ本体５３ｍに設けられたリード線５３ｘと、そのリード線５３ｘの先端に設けられたアダプタ側コネクタ５３ｃとから構成されている。
アダプタ本体５３ｍは、大型バッテリ４３の上面に形成された一対のスライドレール（図示省略）に嵌合した状態で、それらのスライドレールに沿って水平スライドすることにより、その大型バッテリ４３と電気的に接続されるように構成されている。また、大型バッテリ４３とアダプタ本体５３ｍ間には、大型バッテリ４３とアダプタ本体５３ｍとを電気的な接続状態に保持するロック機構が設けられている。そして、大型バッテリ４３に設けられたロック解除レバー（図示省略）を押圧することで、大型バッテリ４３とアダプタ本体５３ｍとのロック状態を解除できるようになっている。
アダプタ５３のアダプタ側コネクタ５３ｃは、ジャケット本体１２のジャケット電気回路３０（電源線３９）のジャケット側コネクタ３９ｃに接続されるようになっている。
ここで、両アダプタ５１，５３には、図４に示すように、電動工具用バッテリ４１，４３の負荷電流が予め決められた値を超えた場合に、電流を遮断する過負荷保護回路が設けられている。また、両アダプタ５１，５３には、電動工具用バッテリ４１，４３の電圧が予め決められた値を超えて低下した場合に、電流を遮断する過放電保護回路が設けられている。
【００２６】
＜保温ジャケット１０の取扱いについて＞
先ず、大型バッテリ４３とアダプタ５３とを使用する場合の保温ジャケット１０の取扱いについて説明する。
大型バッテリ４３とアダプタ５３とを使用する場合には、図９（Ａ）（Ｂ）に示すように、ジャケット本体１２のジャケット電気回路３０の電源線３９及びジャケット側コネクタ３９ｃを背面ポケット１２ｐの第１貫通穴６１からポケット内に引き出す。次に、電源線３９及びジャケット側コネクタ３９ｃを背面ポケット１２ｐの内部を通過させて第２貫通穴６２からジャケット本体１２の裏側に引き出す。この状態で、図９（Ｃ）に示すように、大型バッテリ４３が連結されたアダプタ本体５３ｍのフック５３ｆをベルトに掛け、アダプタ５３のリード線５３ｘのアダプタ側コネクタ５３ｃをジャケット側コネクタ３９ｃに接続する。この状態で、大型バッテリ４３、アダプタ５３とジャケット本体１２との電気的な接続が完了する。
次に、ジャケット本体１２の左胸に設けられた制御部２０のスイッチ部２３を長押しすることで、発熱体３１，３２，３３の通電が行われる。そして、スイッチ部２３を短く押し操作することで、発熱体３１，３２，３３の発熱量を、例えば、低温Ｈ１、中温Ｈ２、高温Ｈ３に切替えることが可能になる。
【００２７】
次に、小型バッテリ４１とアダプタ５１とを使用する場合の保温ジャケット１０の取扱いについて説明する。
小型バッテリ４１とアダプタ５１とを使用する場合には、図１０（Ａ）（Ｂ）に示すように、ジャケット本体１２のジャケット電気回路３０の電源線３９及びジャケット側コネクタ３９ｃを背面ポケット１２ｐの第１貫通穴６１からポケット内に引き出す。この状態で、図１０（Ａ）に示すように、小型バッテリ４１が連結されたアダプタ本体５１ｍのリード線５１ｘのアダプタ側コネクタ５１ｃをジャケット側コネクタ３９ｃに接続する。この状態で、小型バッテリ４１、アダプタ５１とジャケット本体１２との電気的な接続が完了し、小型バッテリ４１、アダプタ５１を背面ポケット１２ｐ内に収納する。
なお、図１０（Ｃ）に示すように、箱形の電動工具用バッテリ４３、及びアダプタ５３であっても小型軽量のものであれば背面ポケット１２ｐ内に収納することが可能である。
また、大型バッテリ４３とアダプタ５３とを使用する場合に、図１１に示すように、ジャケット本体１２のジャケット電気回路３０の電源線３９及びジャケット側コネクタ３９ｃを第２貫通穴６２から直接的にジャケット本体１２の裏側に引き出すことも可能である。
【００２８】
＜本実施形態に係る保温ジャケット１０の長所について＞
本実施形態に係る保温ジャケット１０によると、電動工具用バッテリ４１の電力を発熱体３１，３２，３３に供給する電源線３９を第１貫通穴６１に通すことで、電動工具用バッテリ４１を背面ポケット１２ｐ内に収納することができる。即ち、小型の軽い電動工具用バッテリ４１を使用した場合には、その電動工具用バッテリ４１をポケットに収納できるようになる。このように、軽い電動工具用バッテリ４１の場合、背面ポケット１２ｐに収納してもジャケット本体１２の着心地が悪くならず、見栄えも低下しない。
また、電源線３９を第２貫通穴６２に通すことで、電動工具用バッテリ４３をジャケット本体１２の裏側に配置することができる。このため、大型バッテリ４３を使用した場合には、そのバッテリ４３を、例えば、ズボンのベルト等に装着することが可能になる。したがって、大型バッテリ４３の重量がジャケット本体１２に加わらず、ジャケット本体１２の着心地が悪くなることがない。さらに、着用時にジャケット本体１２の見栄えも低下しない。
【００２９】
また、第２貫通穴６２は、ジャケット本体１２の裏側と背面ポケット１２ｐ内とをつなぐ構成であるため、第１貫通穴６１を通して背面ポケット１２ｐ内に導いた電源線３９を第２貫通穴６２からジャケット本体１２の裏側に導くことができる。このため、電動工具用バッテリ４１，４３の種類に応じて電源線３９を背面ポケット１２ｐ内に収納したり、あるいはジャケット本体１２の裏側に導くことが容易になる。
また、ジャケット本体１２の電源線３９の端部にはジャケット側コネクタ３９ｃが設けられており、そのジャケット側コネクタ３９ｃにアダプタ５１，５３のリード線５１ｘ，５３ｘの端部に設けられたアダプタ側コネクタ５１ｃ，５３ｃが接続可能な構成である。
このため、ジャケット本体１２の電源線３９と、電動工具用バッテリ４１，４３のアダプタ５１，５３のリード線５１ｘ，５３ｘの接続、接続解除が容易になる。また、電源線３９をジャケット本体１２の第１貫通穴６１、あるいは第２貫通穴６２に通し易くなる。
また、アダプタ５３には、身体にアダプタ５３及び電動工具用バッテリ４３を保持するためのフック５３ｆが設けられているため、アダプタ５３及び電動工具用バッテリ４３をジャケット本体１２の裏側に配置した場合に、そのアダプタ５３を、例えば、ズボンのベルト等に装着し易くなる。
【００３０】
また、ジャケット本体１２には、発熱体３１，３２，３３の熱量が一定になるように制御する制御部２０が設けられており、制御部２０は、電動工具用バッテリ４１，４３の電圧が低下するにつれて通電時間を長くし、発熱体３１，３２，３３の発熱量を一定に制御する。このため、電動工具用バッテリ４１，４３の充電量が異なることで、発熱体３１，３２，３３の発熱量が変化するような不具合がない。
また、各々の発熱体３１，３２，３３には、各々の発熱体３１，３２，３３の温度が予め決められた値を超えたときに、発熱体３１，３２，３３に対して通電を禁止する手段が設けられている。このため、発熱体３１，３２，３３の温度が上がり過ぎるようなことがない。
また、ジャケット本体１２には、発熱体３１，３２，３３の通電を表示するＬＥＤ２６ａ，２６ｂ，２６ｃが設けられており、ＬＥＤ２６ａ，２６ｂ，２６ｃは定電流回路２８を介して電源に接続されるように構成されている。このため、電源の電圧変動により、ＬＥＤ２６ａ，２６ｂ，２６ｃの明るさが変わるような不具合がない。
【００３１】
＜変更例＞
ここで、本発明は上記実施形態に限定されるものではなく、本発明の要旨を逸脱しない範囲における変更が可能である。例えば、本実施形態では、制御部２０のスイッチ部２３と表示制御回路２６とをジャケット本体１２の左胸の位置に設ける例を示したが、スイッチ部２３と表示制御回路２６との位置は適宜変更可能である。
また、本実施形態では、発熱体３１，３２，３３をジャケット本体１２の背面、右前、左前の三箇所に設ける例を示したが、ジャケット本体１２の右側、左側の二箇所に設けるようにすることも可能である。また、ジャケット本体１２の首回りに設けることも可能である。
また、本実施形態では、発熱体３１，３２，３３のカーボンファイバー３５と発熱体側電線３７との接続部３５ｘの近傍にサーモスタット３８を設け、サーモスタット３８の温度が所定温度を超えたら通電を禁止する例を示した。しかし、サーモスタット３８の代わりに温度センサ（サーミスタ等）を設け、サーミスタ等の信号を制御部２０のＣＰＵ２７に入力することも可能である。
【符号の説明】
【００３２】
１０・・・・保温ジャケット
１２・・・・ジャケット本体
１２ｐ・・・背面ポケット（ポケット）
１３・・・・表地
１４・・・・裏地
２４・・・・発熱体制御回路
２５・・・・発熱体異常検出回路
２６・・・・表示制御回路
２８・・・・定電流回路
３１・・・・第１発熱体
３２・・・・第２発熱体
３３・・・・第３発熱体
３８・・・・サーモスタット
３９ｃ・・・ジャケット側コネクタ
３９・・・・電源線
４１・・・・小型バッテリ（電動工具用バッテリ）
４３・・・・大型バッテリ（電動工具用バッテリ）
５１・・・・アダプタ
５３・・・・アダプタ
５１ｃ・・・アダプタ側コネクタ
５３ｃ・・・アダプタ側コネクタ
５１ｘ・・・リード線
５３ｘ・・・リード線
５３ｆ・・・フック
６１・・・・貫通穴
６２・・・・貫通穴
【図１】
2015048555.tif 000003
【図２】
2015048555.tif 000004
【図３】
2015048555.tif 000005
【図４】
2015048555.tif 000006
【図５】
2015048555.tif 000007
【図６】
2015048555.tif 000008
【図７】
2015048555.tif 000009
【図８】
2015048555.tif 000010
【図９】
2015048555.tif 000011
【図１０】
2015048555.tif 000012
【図１１】
2015048555.tif 000013
【図１２】
2015048555.tif 000014